(57)【要約】【課題】通常のコルゲーションチューブの内側に、支持部材の軸孔に遊隙を有して塑性の金属軸を嵌合させることで、曲がる位置が異なる幾種類もの配管に対しても１種類で対応し、曲り形状を保持する機能を確実に果たすコルゲーションチューブを提供することを課題とする。【解決手段】合成樹脂製のチューブ主体１が周面の長さ方向に均等な形状の凸条２と凹溝３を交互に設けられて任意の位置から曲げられるように形成されたコルゲーションチューブＡであって、上記チューブ主体１の内周には軸孔４を有する支持部材５がチューブ主体１の軸線と平行するように１列か複数列付設されていて、この支持部材５の軸孔４には円または多角形断面をなす塑性の金属軸６が若干の間隙７を有して嵌合されていることを特徴とする。【選択図】図１
2012135182.tif 000002
【特許請求の範囲】
【請求項１】
合成樹脂製のチューブ主体が周面の長さ方向に均等な形状の凸条と凹溝を交互に設けられて任意の位置から曲げられるように形成されたコルゲーションチューブであって、上記チューブ主体の内周には軸孔を有する支持部材がチューブ主体の軸線と平行するように１列か複数列付設されていて、この支持部材の軸孔には円または多角形断面をなす塑性の金属軸が若干の間隙を有して嵌合されていることを特徴とする形状保持機能を有するコルゲーションチューブ。
【請求項２】
上記チューブ主体が周面の一部分に形成されたスリットで開口可能とされて、該スリットに対応する周面の一部分には可撓部を長さ方向に形成され、上記スリットを挟むチューブ主体の一方の端縁には係合体を、他方の端縁には係止溝をそれぞれ形成されていることを特徴とする請求項１記載の形状保持機能を有するコルゲーションチューブ。
【発明の詳細な説明】
【技術分野】
【０００１】
本発明は、配線を収容して保持させるコルゲーションチューブで、任意の位置で曲げられて曲げ形状の保持が可能なコルゲーションチューブに関する。
【背景技術】
【０００２】
自動車の曲がった配線を収容して保護させるコルゲートチューブで、周壁部に凹条と凹溝が軸方向に沿って交互に配設され、周壁部が、通常部分と該通常部分に連設して設けられ、且つ所定方向の曲げに対する剛性が通常部分より低い軟弱部分とを有する構成を採用することで、屈曲位置及び又は屈曲方向を規制させることができる発明は特許文献１により知られている。
【０００３】
上記構成のコルゲートチューブは、チューブ主体に通常の剛性を有する部分と、この部分よりも軟弱な部分を生じさせて、軟弱の部分からだけ曲がるようにしたものであるから、曲がる位置が特定されて、曲がる位置が異なる複数の配線に対しては共用できないから、曲がる位置が異なる複数種の配線に対しては同数種類のチューブを準備しなければならない問題点があった。
【先行技術文献】
【特許文献】
【０００４】
【特許文献１】特開２００９−１８３０１３号
【発明の概要】
【発明が解決しようとする課題】
【０００５】
本発明は、上記従来のコルゲートチューブは、特定の位置でしか曲らないため、曲る位置が異なる複数種の配管に対して、同数の種類のコルゲートチューブを準備しなければならない問題点を、通常のコルゲーションチューブの内側に、支持部材の軸孔に遊隙を有して塑性の金属軸を嵌合すことで、曲がる位置が異なる幾種類もの配管に対しても１種類で対応し、曲り形状を保持する機能を確実に果たすコルゲーションチューブを提供することを課題とする。
【課題を解決するための手段】
【０００６】
前記課題を解決するため、請求項１に係る発明は、合成樹脂製のチューブ主体が周面の長さ方向に均等な形状の凸条と凹溝を交互に設けられて任意の位置から曲げられるように形成されたコルゲーションチューブであって、上記チューブ主体の内周には軸孔を有する支持部材がチューブ主体の軸線と平行するように１列か複数列付設されていて、この支持部材の軸孔には円または多角形断面をなす塑性の金属軸が若干の間隙を有して嵌合されていることを特徴とする。
【０００７】
請求項２に係る発明は、上記チューブ主体が周面の一部分に形成されたスリットで開口可能とされて、該スリットに対応する周面の一部分には可撓部を長さ方向に形成され、上記スリットを挟むチューブ主体の一方の端縁には係合体を、他方の端縁には係止溝をそれぞれ形成されていることを特徴とする。
【発明の効果】
【０００８】
請求項１に係る発明によれば、任意の位置から任意の方向への曲げられるチューブ主体の内部に、支持部材の軸孔に遊隙を有して嵌合させた塑性の金属軸を配置してあるから、チューブ主体は任意の位置から曲げられて、曲げ後は曲げ形状を保持するので同種類の配線であれば、その曲りの位置や方向が異なっても１種類のコルゲーションチューブで対応できて経済的であり、かつ、作業性にも優れる。
【０００９】
請求項２に係る発明によれば、チューブ主体のスリットに対応する周面の一部に可撓部が形成されて、チューブ主体の開口の開きを容易にするため、チューブ主体の内部へ速やかに配線を収容できて作業能率がアップされるだけでなく、スリットの両側に位置するチューブ主体の端縁には係合体と係止溝が配置されて、配線を収容して開口を閉じると、係合体と係止体が係合して開口をロックするため、ロックしないと湾曲で不可避的に生じた開口の開きが確実に防止させて配線の体裁と安全性の保持に効果を上げる。
【図面の簡単な説明】
【００１０】
【図１】本発明に係る形状保持機能を有するコルゲーションチューブの縦断正面図
【図２】同上の一部分の変形例を示す縦断正面図
【図３】同上の一部分を示す斜視図
【図４】同上におけるチューブ主体の内側に支持部材に支持される塑性の金属軸が断続して設けられた説明図
【図５】同上におけるチューブ主体の内側に支持部材に支持される塑性の金属軸が連続して設けられた説明図
【図６】（ａ）（ｂ）は、同上チューブ主体の一方の端縁に係合爪が断続して設けられた場合と、連続して設けられた場合の説明図
【図７】（ａ）（ｂ）は、同上チューブ主体の他方の端縁に係止溝が断続して設けられた場合と、連続して設けられた場合の説明図
【図８】同上チューブを開口させて内部へ配線を収容する説明図
【図９】同上チューブを配線の収容後、閉口させて係合体と係止溝の係合でロックさせた説明図
【図１０】同上チューブ主体が任意の位置から曲げられて、曲げ形状を保持している状態の説明図
【発明を実施するための形態】
【００１１】
図１〜図５等において符号Ａは、本発明に係る形状保持機能を有するコルゲーションチューブを示す。このコルゲーションチューブＡは、合成樹脂製のチューブ主体１が周面の長さ方向に均等な形状の凸条２と凹溝３を交互に設けられて任意の位置から曲げられるように形成されたもので、上記チューブ主体１の内周には軸孔４を有する支持部材５がチューブ主体１の軸線と平行するように図１に示す通り１列か、図２に示す通り複数列付設されていて、この支持部材５の軸孔４には、円または多角形断面をなす塑性の金属軸６が若干の間隙７を有して嵌合されている。
【００１２】
上記チューブ主体１が内周に設けられる支持部材５は、図４に示す通り断続して設けても、図５に示す通り連続して設けても良いが、チューブ主体1の可撓性を良くするためには、断続して設けられることが好ましい。
【００１３】
上記コルゲーションチューブＡのチューブ主体１は、周面の一部分に長手方向のスリット８を入れて、このスリット８でチューブ主体１を開口させるものであるから、このスリット８に対応する周面に、開口を容易にするため可撓部９を設けるもので、この可撓部９は図１に示す通り、他の部分よりも軟質の材料で成形するか、図２に示す通り他の部分と同じ材料でこの部分が肉薄となるように成形することで適当な可撓性が得られるようにする。
【００１４】
また、上記スリット８で開口させるチューブ主体1は、内部へ図８、図９に示す通り配線１０を収容して、開口が開かないように閉じさせて置く必要があるから、スリット８を挟むチューブ主体１の一方の端縁１ａには、図１、図２に示す通り矢形をなす係合体１１を設け、他方の端縁１ｂには図１、図２に示す通りこの係合体１１に形状を合せた係止溝１２を設けて、この係止溝１２に上記係合体１１を係合させることで開口をロックさせ、チューブ主体１を曲がらせても開口が開くことがないようにするものであって、これらの係合体１１と係止溝１２は、図６（ａ）、図７（ａ）に示す通り断続させて形成しても、図６（ｂ）、図７（ｂ）示す通り連続させて形成しても良いが、チューブ主体1の可撓性を良くするためには断続させて形成することが好ましい。
【００１５】
上記構成の形状保持機能を有するコルゲーションチューブＡは、チューブ主体１をスリット８で図８に示す通り開口させ、この開口から内部へ配線１０を収容して、図９に示す通り開口を閉じさせると、チューブ主体１の一方の端縁１ａに設けられた矢形をなす係合体１１が、同形を成す係止溝１２に係合して開口をロックするので、この状態でチューブ主体１を、例えば図１０に示す通りに曲がらせると、内部に設けられた支持部材５の軸孔４に若干の間隙７を有して嵌合される可塑性の金属軸６が、チューブ主体１に連れ曲りして、曲った後は曲がり形状を塑性で保持し続けるから、チューブ主体１に保護されて希望通り曲がった配線の設置を容易に確実に行なうことができる。
【００１６】
また、このコルゲーションチューブＡは、チューブ主体１も可塑性の金属軸６も任意の位置から任意の方向へ曲げられるから、同種類の配線であれば、その曲り形状や曲り方向が異なる幾種類もの配線にも１種類で総て対応することができる。
【産業上の利用可能性】
【００１７】
本発明は、１種類のコルゲーションチューブで、曲がりの位置や曲がりの方向が異なる複数種の配線を把持させるようにして、自動車の配線の合理的、経済的な保護処理を実現させることが可能となる。
【符号の説明】
【００１８】
Ａ  コルゲーションチューブ
１  チューブ主体
２  凸条
３  凹溝
４  軸孔
５  支持部材
６  塑性の金属軸
７  間隙
【図１】
2012135182.tif 000003
【図２】
2012135182.tif 000004
【図３】
2012135182.tif 000005
【図４】
2012135182.tif 000006
【図５】
2012135182.tif 000007
【図６】
2012135182.tif 000008
【図７】
2012135182.tif 000009
【図８】
2012135182.tif 000010
【図９】
2012135182.tif 000011
【図１０】
2012135182.tif 000012